(57)【要約】【課題】右研摩セットにより刃物や鎌が研磨され、左研摩セットにより挟みが研磨される多機能両輪式研摩器を提供する。【解決手段】基座とケーシングを有する主体と、主体に実装されるモータと、二つの砥石車を有し、モータによって駆動される右研摩セットと、一つの砥石車を有し、モータによって駆動される左研摩セットとが含有される。【選択図】図１
0003133059.tif 000002
【実用新案登録請求の範囲】
【請求項１】
主体と、主体に実装されるモータと、モータによって駆動され、第１と第２の砥石車を有する右研摩セットと、モータによって駆動され、第３の砥石車がある左研摩セットとが含有され、右研摩セットにより切れ刃や鎌が研磨され、左研摩セットにより、挟みが研磨されることを特徴とする両輪式研摩器。
【請求項２】
右研摩セットには、縦方向円弧開口を有するほぼ半円柱形である上ケーシングと、上ケーシングと主体に、それぞれ、取り外し可能に組みたてられるほぼ半円柱形である下ケーシングと、六角形である外表面と円形貫通孔を有する右側から突出するスリーブがあり、スリーブと嵌合部品の環形周辺との間に環形收納槽が形成される円柱形嵌合部品と、第１のバネと、左側に位置する円柱形スリーブと右側に位置する環形浅い槽とがあり、円柱形スリーブに連通する第１の砥石車と嵌合リングと、右側に位置する円柱形スリーブと左側に位置する環形浅い槽とがあり、円柱形スリーブに連通する第２の砥石車と、第２のバネと、六角形である外表面部分と円形貫通孔を有する左側に位置する階段状に突出するスリーブがあり、また、スリーブとブッシングの環形周辺との間に環形收納槽が形成されるブッシングとが、含有されることを特徴とする請求項１に記載の両輪式研摩器。
【請求項３】
左研摩セットには、縦方向円弧開口を有するほぼ半円柱形である上ケーシングと、上ケーシングと主体に、それぞれ、取り外し可能に組みたてられるほぼ半円柱形である下ケーシングと、六角形である外表面と円形貫通孔を有する右側から突出するスリーブがあり、スリーブと嵌合部品の環形周辺との間に環形收納槽が形成される円柱形嵌合部品と、第３のバネと、左側から突出する円柱形スリーブと、右側に位置する環形浅い槽と、円柱形スリーブと浅い槽とに連通する中間に位置する六角形貫通孔と、環形浅い槽の外周縁に設置される環状槽とが含有され、該環状槽に、円錐形リングが組みたてられる階段状のスリーブと、嵌合リングと、右側から突出する円柱形のスリーブと左側に位置する環形浅い槽とがあり、円柱形スリーブに連通する第３の砥石車と、第４のバネと、六角形である外表面の部分と円形貫通孔を有する左側に位置する階段状のスリーブがあり、スリーブとブッシングとの環形周辺との間に環形收納槽が形成されるブッシングとが、含有されることを特徴とする請求項１に記載の両輪式研摩器。
【考案の詳細な説明】
【技術分野】
【０００１】
本考案は、研摩器に関し、特に、挟みや切れ刃及び鎌を研磨できる多機能の両輪式研摩器に関する。
【背景技術】
【０００２】
従来の研摩器は、単一の砥石車を有し、鈍くなった切れ刃を研磨できるだけの極めて簡単である機能が実現され、実用的とは言えない。
【０００３】
そのため、両輪式研摩器が登場し、二つの研摩セットにより、従来の単輪式研摩器の機能を増加することを企むが、該両輪式研摩器である実用新案の左研摩セットと右研摩セットとの構造が同じであるため、同時に、二つの同じ種類の鈍化切れ刃を研磨するための研摩器になる。
【考案の開示】
【考案が解決しようとする課題】
【０００４】
本考案の主な目的は、鈍くなった挟みや切れ刃及び鎌を研磨でき、多機能を実現できる両輪式研摩器を提供する。
【課題を解決するための手段】
【０００５】
本考案は、上記の目的を達成するため、主体と、主体に実装されるモータと、モータによって駆動され、第１と第２の砥石車を有する右研摩セットと、モータによって駆動され、第３の砥石車を有する左研摩セットと、が含有され、右研摩セットにより、切れ刃や鎌が研磨され、左研摩セットにより挟みが研磨される両輪式研摩器である。
【考案を実施するための最良の形態】
【０００６】
図１は、本考案に係わる多機能両輪式研摩器１であり、基座２とホウジング３とから組みたてられることからなる主体と、それぞれ、主体の二つの反対側から外へ延ばすスピンドル６があり、基座２とホウジング３に実装される交流モータ（図に未表示）と、ホウジング３に設置された右研摩セット４と、左研摩セット７と、矩形砥石５とが含有される。該右、左研摩セット４、５は、本考案の主な特徴であるため、以下、詳しく説明する。
【０００７】
図１から図３を参照しながら、該右研摩セット４は、六角形である外表面と円形貫通孔を有する右側から突出するスリーブ４３１があり、スリーブ４３１と嵌合部品４３の環形周辺との間に環形收納槽４３２が形成される円柱形嵌合部品４３と、第１のバネ４４と、左側に位置する円柱形スリーブ４５１と右側に位置する環形浅い槽４５２とがあり、中間に位置する六角形縮小孔を介して、円柱形スリーブ４５１に連通する第１の砥石車４５と、嵌合リング４６と、右側に位置する円柱形スリーブ４７１と左側に位置する環形浅い槽４７２とがあり、中間に位置する六角形縮小孔を介して、円柱形スリーブ４７１に連通する第２の砥石車４７と、第２のバネ４８と、六角形である外表面部分と円形貫通孔を有する左側に位置する階段状に突出するスリーブ４９１があり、また、スリーブ４９１とブッシング４９の環形周辺との間に環形收納槽４９２が形成されるブッシング４９とが含有される。
【０００８】
組みたてる時、モータのスピンドル６を右研摩セット４の上記の各素子に貫設する。第１のバネ４４は、弾性的にスリーブ４５１の底部と收納槽４３２との間に抵当する。嵌合リング４６が、浅い槽４５２と４７２の中に固定され、スリーブ４９１の先端に嵌合し、またスリーブ４９１が、モータのスピンドル６に嵌合し、そして、スリーブ４３１に緊密に嵌合し、そのため、モータのスピンドル６が回転する時、嵌合部品４３とブッシング４９、嵌合リング４６及び砥石車４５及４７も、同時に回転する。第２のバネ４８は、弾性的に、スリーブ４７１と收納槽４９２との間に抵当する。また、螺合部品８が、モータのスピンドル６の末端に位置する螺条に螺合されることにより、上記の素子が固定される。
【０００９】
右研摩セット４は、更に、二つの可撓性突出４１１が、それぞれ、底部の前後縁に設置されるほぼ半円柱形である中空の上ケーシング４１と、縦方向円弧開口４１２と、二つの凹み部４２１が、それぞれ、頂部の前後縁に設置され、二つの可撓性突出４２２が、それぞれ、左側の前後端に設置されるほぼ半円柱形である中空の下ケーシング４２と、底部において、二つの突出４２２の間に位置する細長い凹槽４２３とが含有される。
【００１０】
突出４２２が、基座２の右側に設置される二つの対応する凹み部２１に係合され、また、凹槽４２３が、二つの凹み部２１の間に位置する凸起２２に係合され、下ケーシング４２と基座２とが組みたてられる。最後の組みたてステップにおいて、突出４１１と凹み部４２１とが係合されることにより、上記の組みたてられた右研摩セット４の全ての素子が、上ケーシング４１と下ケーシング４２とによって覆われ、右研摩セット４を覆うことにより、右研摩セット４を操作する操作員の安全が守られる。
【００１１】
図１、図４、図５を参照しながら、左研摩セット７は、六角形である外表面と円形貫通孔を有する右側から突出するスリーブ７３１があり、スリーブ７３１と嵌合部品７３の環形周辺との間に環形收納槽７３２が形成される円柱形嵌合部品７３と、第３のバネ７４と、左側から突出する円柱形スリーブ７５１と、右側に位置する環形浅い槽７５２と、円柱形スリーブ７５１と浅い槽７５２とに連通する中間に位置する六角形貫通孔７５３と、環形浅い槽７５２の回りに設置される環状槽７５４とが含有される階段状のスリーブ７５と、嵌合リング７６と、分離する比較的に大きい円錐形リング７６１と、右側から突出する円柱形のスリーブ７７１と左側に位置する環形浅い槽７７２とがあり、円柱形スリーブ７７１に連通する第３の砥石車７７と、第４のバネ７８と、六角形である外表面の部分と円形貫通孔を有する左側に位置する階段状のスリーブ７９１があり、スリーブ７９１とブッシング７９との環形周辺との間に環形收納槽７９２が形成されるブッシング７９と、が含有される。
【００１２】
組みたてる時、モータのスピンドル６を左研摩セット７の上記の各素子に貫設する。第４のバネ７８は、弾性的に第３の砥石車７７の中間孔状スペーサーと收納槽７９２との間に抵当する。嵌合リング７６が、浅い槽７５２と浅い槽７７２の中に固定され、スリーブ７９１の先端に嵌合し、また、スリーブ７９１が、モータのスピンドル６に嵌合する。円錐形リング７６１が、環状槽７５４に嵌合し、第３のバネ７４が、弾性的にスリーブ７５１の底部と收納槽７３２との間に抵当する。また、スリーブ７３１とスリーブ７９１とが緊密に嵌合され、これにより、モータのスピンドル６が回転する時、嵌合部品７３とブッシング７９、嵌合リング７６及び第３の砥石車７７も、同時に回転する。また、もう一つの螺合部品８が、モータのスピンドル６の末端に位置する螺条に螺合されることにより、上記の素子が固定される。
【００１３】
左研摩セット７は、更に、二つの可撓性突出７１１が、それぞれ、底部の前後縁に設置されるほぼ半円柱形である中空の上ケーシング７１と、縦方向円弧開口７１２と、二つの凹み部７２１が、それぞれ、頂部の前後縁に設置され、二つの可撓性突出７２２が、それぞれ、右側の前後端にせっちされるほぼ半円柱形である中空の下ケーシング７２と、底部において、二つの突出７２２の間に位置する細長い凹槽７２３とが含有される。そして、該二つの突出７２２が、基座２の左側に設置される二つの対応する凹み部（図に未表示）に係合され、また、凹槽７２３が、基座２の左側に位置する二つの対応する凹み部の間にある凸起（図に未表示）に係合され、これにより、下ケーシング７２と基座２とが組みたてられる。最後の組みたてステップにおいて、突出７１１と凹み部７２１とが係合されることにより、上記の組みたてられた左研摩セット７の素子が、上ケーシング７１と７２とのよって覆われ、左研摩セット７を覆うことにより、左研摩セット７を操作する操作員の安全が守られる。
【００１４】
図３、図６を参照しながら、本考案の操作状態であり、両輪式研摩器１が駆動されると、刃物Ａの切れ刃が、縦方向円弧開口４１２に挿入され、高速回転する右研摩セット４の第１の砥石車４５と第２の砥石車４７との間において研磨される。
【００１５】
図５、図７を参照しながら、本考案の他の操作状態であり、両輪式研摩器１が駆動されると、挟みＢの切れ刃が、縦方向円弧開口７１２に挿入され、高速回転する左研摩セット７の第３の砥石車７７により、研磨される。
【００１６】
図１、図３、図８を参照しながら、本考案の更の他の操作状態であり、右研摩セット４の上ケーシング４１と下ケーシング４２とが、取り外され、両輪式研摩器１が駆動されると、鎌Ｃが、直接に、高速回転する右研摩セット４の第１の砥石車４５と第２の砥石車４７との間に入り置かれて、研磨される。
【００１７】
図１、図９を参照しながら、本考案の更の他の操作状態であり、該刃物Ａの切れ刃を、直接に砥石５で研磨して、電源を節約できる。
【００１８】
以上から分かるように、本考案に係わる両輪式研摩器の特徴は、簡単の構造により、鈍くなった挟みや切れ刃或いは鎌を研磨する多重機能を実現できる。
【図面の簡単な説明】
【００１９】
【図１】本考案に係わる多機能両輪式研摩器の一実施例の主な特徴である素子の分解図
【図２】図１の右研摩セットの主な特徴である素子の分解図
【図３】図２の素子を組みたてた後の断面図
【図４】図１の左研摩セットの主な特徴である素子の分解図
【図５】図４の素子を組みたてた後の断面図
【図６】本考案に係わる多機能両輪式研摩器の立体図であり、刃物を、右研摩セットの砥石車により研磨する時の状態
【図７】本考案に係わる多機能両輪式研摩器の他の立体図であり、挟みを、左研摩セットにより、研磨する時の状態
【図８】本考案に係わる多機能両輪式研摩器の更の他の立体図であり、右研摩セットの上ケーシングと下ケーシングが取り外された後の鎌を右研摩セットにより研磨する時の状態
【図９】本考案に係わる多機能両輪式研摩器の他の実施例の立体図であり、刃物を直接に砥石により研磨する時の状態
【符号の説明】
【００２０】
１        両輪式研摩器
２        基座
２１      凹み部
２２      凸起
３        ホウジング
４        右研摩セット
４１      上ケーシング
４１１    突出
４１２    円弧開口
４２      下ケーシング
４２１    凹み部
４２２    突出
４２３    凹槽
４３      嵌合部品
４３１    スリーブ
４３２    收納槽
４４      第１のバネ
４５      第１の砥石車
４５１    スリーブ
４５２    浅い槽
４６      嵌合リング
４７      第２の砥石車
４７１    スリーブ
４７２    浅い槽
４８      第２のバネ
４９      ブッシング
４９１    スリーブ
４９２    收納槽
５        砥石
６        スピンドル
７        左研摩セット
７１      上ケーシング
７１１    突出
７１２    円弧開口
７２      下ケーシング
７２１    凹み部
７２２    突出
７２３    凹槽
７３      嵌合部品
７３１    スリーブ
７３２    收納槽
７４      第３のバネ
７５      スリーブ
７５１    スリーブ
７５２    浅い槽
７５３    貫通孔
７５４    環状槽
７６      嵌合リング
７６１    円錐形リング
７７      第３の砥石車
７７１    スリーブ
７７２    浅い槽
７８      第４のバネ
７９      ブッシング
７９１    スリーブ
７９２    收納槽
８        螺合部品
Ａ        刃物
Ｂ        挟み
Ｃ        鎌
【図１】
0003133059.tif 000003
【図２】
0003133059.tif 000004
【図３】
0003133059.tif 000005
【図４】
0003133059.tif 000006
【図５】
0003133059.tif 000007
【図６】
0003133059.tif 000008
【図７】
0003133059.tif 000009
【図８】
0003133059.tif 000010
【図９】
0003133059.tif 000011